(57)【要約】【課題】室内に光を採り入れつつ遮蔽もすることができる縦型ブラインドを提供する。【解決手段】  第１のルーバー１３１と、第１のルーバー１３１に対向して吊下げられる第２のルーバー１３２とを備え、前記第１、第２のルーバー１３２には、光の透過率が低い不透過部１３１ａ、１３２ａと、光の透過率が高い透過部１３１ｂ、１３２ｂとが、上下方向に交互に連続して形成され、前記不透過部１３１ａ、１３２ａと前記透過部１３１ｂ、１３２ｂの幅は、前記第１、第２のルーバー１３１、１３２を上下方向に相対的に移動させたときに、光が遮蔽された遮蔽状態と、光が採光される採光状態とを切り替えられる幅に設定されている。【選択図】図２
2015048576.tif 000002
【特許請求の範囲】
【請求項１】
吊下げ支持されるルーバー（１３０）を備えた縦型ブラインド（１００）であって、
第１のルーバー（１３１）と、第１のルーバーに対向して吊下げられる第２のルーバー（１３２）とを備え、
前記第１、第２のルーバーには、光の透過率が低い不透過部（１３１ａ、１３２ａ）と、光の透過率が高い透過部（１３１ｂ、１３２ｂ）とが、上下方向に交互に連続して形成され、
前記不透過部と前記透過部の幅は、前記第１、第２のルーバーを上下方向に相対的に移動させたときに、光が遮蔽された遮蔽状態と、光が採光される採光状態とを切り替えられる幅に設定されていることを特徴とする縦型ブラインド。
【請求項２】
前記第１のルーバーと前記第２のルーバーは、端部が連結されたループ状であることを特徴とする、請求項１に記載の縦型ブラインド。
【請求項３】
前記第１のルーバーと前記第２のルーバーのそれぞれの上端に、調光部材（１６３、２１２、２１３）の一端が連結され、該調光部材を操作することにより、前記第１、第２のルーバーが上下方向に相対的に移動することを特徴とする、請求項１又は２に記載の縦型ブラインド。
【請求項４】
複数の前記第１のルーバーと前記第２のルーバーがヘッドレール（１１０）から吊下げられており、各第１、第２のルーバーに連結された前記調光部材が、前記ヘッドレール内を長手方向に延びる調光軸（１６１）に連結されており、該調光軸が回転することにより、全ての前記第１、第２のルーバーが一度に上下方向に相対的に移動することを特徴とする、請求項３記載の縦型ブラインド。
【請求項５】
複数の前記第１のルーバーと前記第２のルーバーがヘッドレールから吊下げられており、
各第１、第２のルーバーに連結された前記調光部材が、前記ヘッドレール内を這う調光コード（２１１）に連結されており、該調光コードが前記ヘッドレールの長手方向に移動することにより、全ての前記第１、第２のルーバーが一度に上下方向に相対的に移動することを特徴とする、請求項３記載の縦型ブラインド。
【発明の詳細な説明】
【技術分野】
【０００１】
本発明は、吊下げ支持されるルーバーを備えた縦型ブラインドに関する。
【背景技術】
【０００２】
窓などの開口では、室内が丸見えにならず、ある程度のプライバシーは確保しつつ開口から光を採り入れたり、景色を眺望したりしたい、という要望がある。このような要望を叶えるために、例えば、光の透過率が低い不透過部と、光の透過率が高い透過部とが上下方向に連続して形成されたルーバーを備えた縦型ブラインド（例えば、特許文献１参照）が使用されたりする。このような縦型ブラインドは、ルーバーが展開されて、ヘッドレールの長手方向にほぼ平行になった状態では、隣合うルーバーの透過部と不透過部とが重なり合うように構成されている。そして、隣合うルーバー同士がこのように重なり合うことで、ルーバー全体で光の透過率の低い不透過の面を構成し、開口を遮蔽することができるようにしている。
【０００３】
また、ルーバーを回転させて、隣合うルーバーの透過部と不透過部とが重なり合う程度を変化させることにより、透過部の露出程度を変化させることができる。このようにして、室内に入る光量が調整される。
【先行技術文献】
【特許文献】
【０００４】
【特許文献１】特開２００８−１３９８９号公報
【発明の概要】
【発明が解決しようとする課題】
【０００５】
ところで、隣合うルーバーの透過部と不透過部とが重なり合うことで、不透過の面を構成するようになっているので、ルーバーは、これの幅の半分以上が重なり合うことになる。このように構成された縦型ブラインドは、不透過部のみで構成されたルーバーだけを備えた縦型ブラインドに比べて、ルーバー同士の間隔が１／２程度になる。このため、ルーバーをヘッドレールの長手方向に対して直交させるように回転させたときに、ルーバーの間隔が詰まっていて、良好な眺望が得られないという問題があった。
【０００６】
また、室内に光を採り入れるために、ルーバーの回転角度を調節すると、ヘッドレールの長手方向に対するルーバーの角度によっては、隣合うルーバーの間から室内の一部が外部から直接見えてしまうという恐れがある。このように、光を採り入れつつ遮蔽もするということができないという問題があった。
【０００７】
そこで、本発明は、このような問題に鑑みてなされたもので、その目的とするところは、室内に光を採り入れつつ遮蔽もすることができる縦型ブラインドを提供することにある。
【課題を解決するための手段】
【０００８】
上記課題を解決するために、本発明によれば、吊下げ支持されるルーバーを備えた縦型ブラインドであって、第１のルーバーと、第１のルーバーに対向して吊下げられる第２のルーバーとを備え、第１、第２のルーバーには、光の透過率が低い不透過部と、光の透過率が高い透過部とが、上下方向に交互に連続して形成され、不透過部と透過部の幅は、第１、第２のルーバーを上下方向に相対的に移動させたときに、光が遮蔽された遮蔽状態と、光が採光される採光状態とを切り替えられる幅に設定されていることを特徴とする縦型ブラインドが提供される。
【０００９】
かかる発明によれば、ルーバーが展開されて、隣合うルーバー同士が重なり合った状態で、第１、第２のルーバーを上下方向に相対移動させて光が採光される採光状態に切り替えることができる。このように、光を室内に採り入れつつルーバーによって窓を遮蔽することができる。
【００１０】
また、第１のルーバーと第２のルーバーは、端部が連結されたループ状にしてもよい。これにより、第１、第２のルーバーの上下方向の相対的な移動を、容易に実現できる。
【００１１】
さらに、第１のルーバーと第２のルーバーのそれぞれの上端に、調光部材の一端が連結され、調光部材を操作することにより、第１、第２のルーバーが上下方向に相対的に移動するようにしてもよい。これにより、調光部材を操作するだけで、第１のルーバーと第２のルーバーの両方を同時に相対移動させることができ、操作が容易である。
【００１２】
また、複数の第１のルーバーと第２のルーバーがヘッドレールから吊下げられており、各第１、第２のルーバーに連結された調光部材が、ヘッドレール内を長手方向に延びる調光軸に連結されており、調光軸が回転することにより、全ての第１、第２のルーバーが一度に上下方向に相対的に移動するようにしてもよい。
【００１３】
これにより、調光軸を回転させるだけで、全ての第１、第２のルーバーを一度に上下方向に相対的に移動させることができるため、操作が容易である。
【００１４】
また、複数の第１のルーバーと第２のルーバーがヘッドレールから吊下げられており、各第１、第２のルーバーに連結された調光部材が、ヘッドレール内を這う調光コードに連結されており、調光コードがヘッドレールの長手方向に移動することにより、全ての第１、第２のルーバーが一度に上下方向に相対的に移動するようにしてもよい。
【００１５】
これにより、調光コードを移動させるだけで、全ての第１、第２のルーバーを一度に上下方向に相対的に移動させることができるため、操作が容易である。
【発明の効果】
【００１６】
本発明によれば、ルーバーが展開されて、隣合うルーバー同士が重なり合った状態で、第１、第２のルーバーを上下方向に相対移動させて光が採光される採光状態に切り替えることができる。このように、光を室内に採り入れつつルーバーによって窓を遮蔽することができる。本発明のその他の効果については、以下の発明を実施するための形態の項でも説明する。
【図面の簡単な説明】
【００１７】
【図１】本発明の第１の実施形態にかかる縦型ブラインドの正面図であり、ルーバーがヘッドレールの長手方向に直交している状態であり、（ａ）は、ルーバーが採光状態であるときを、（ｂ）は、ルーバーが遮蔽状態であるときを、それぞれ表す。
【図２】第１の実施形態にかかる縦型ブラインドのマスタキャリアの部分の側断面図であり、ルーバーがヘッドレールの長手方向に直交している状態であり、（ａ）は、ルーバーが採光状態であるときを、（ｂ）は、ルーバーが遮蔽状態であるときを、それぞれ表す。
【図３】ヘッドレールに吊下げられていない状態のルーバーの斜視図である。
【図４Ａ】第１の実施形態にかかる縦型ブラインドの正面図であり、ルーバーが畳み込まれた状態を表す。
【図４Ｂ】第１の実施形態にかかる縦型ブラインドの正面図であり、ルーバーが展開された状態を表す。
【図４Ｃ】第１の実施形態にかかる縦型ブラインドの正面図であり、ルーバーが採光状態であるときを表す。
【図４Ｄ】第１の実施形態にかかる縦型ブラインドの正面図であり、ルーバーが遮蔽状態であるときを表す。
【図４Ｅ】遮蔽状態のルーバーを回転させた状態を表す。
【図４Ｆ】採光状態のルーバーを回転させた状態を表す。
【図５】第２の実施形態にかかる縦型ブラインドのマスタキャリアの部分の側断面図であり、ルーバーがヘッドレールの長手方向に直交している状態であり、（ａ）は、ルーバーが採光状態であるときを、（ｂ）は、ルーバーが遮蔽状態であるときを、それぞれ表す。
【発明を実施するための形態】
【００１８】
以下に添付図面を参照ながら、本発明の好適な実施形態について詳細に説明する。なお、本明細書及び図面において、実質的に同一の機能構成を有する構成要素については、同一の符号を付することにより重複説明を省略する。
【００１９】
（第１の実施形態）
第１の実施形態にかかる縦型ブラインド１００について、図１〜図４Ｆを参照しながら説明する。図１は、縦型ブラインドの正面図である。図２は、縦型ブラインドのマスタキャリアの部分の側断面図である。図３は、ヘッドレールに吊下げられていない状態のルーバーの斜視図である。図４Ａは、ルーバーが畳み込まれた状態を表す。図４Ｂは、ルーバーが展開された状態を表す。図４Ｃは、ルーバーが採光状態であるときを表す。図４Ｄは、ルーバーが遮蔽状態であるときを表す。図４Ｅは、図４Ｄに示すルーバーを約４５度回転させた状態を表す。図４Ｆは、図４Ｅに示すルーバーを採光状態にした状態を表す。
【００２０】
まず、図１及び図２を参照しながら、本実施形態にかかる縦型ブラインド１００の構成を説明する。縦型ブラインド１００は、図１に示したように、窓枠等に固定されるヘッドレール１１０と、ヘッドレール１１０内を長手方向にスライド移動する複数のキャリア１２０と、各キャリア１２０からヘッドレール１１０の下方に吊下げられるルーバー１３０と、キャリア１２０を移動させるキャリア移動機構１４０と、ルーバー１３０を回転させるルーバー回転機構１５０と、ルーバー１３０の遮蔽状態と採光状態とを切替える調光機構１６０と、を備えて構成されている。以下、縦型ブラインド１００の各構成について詳細に説明する。
【００２１】
（ヘッドレール１１０）
ヘッドレール１１０は、図１及び図２に示すように、長手方向に配設される複数のルーバー１３０の上端を支持するものであり、図示していないブラケット等で窓枠等に固定される。ヘッドレール１１０は、中空の内部１１１と、内部１１１の前後の壁に長手方向全長にわたって形成されるレール１１２と、底部に長手方向ほぼ全長にわたって形成される開口部１１３と、を備えている。また、ヘッドレール１１０の長手方向一端部には、上述のキャリア移動機構１４０、ルーバー回転機構１５０及び調光機構１６０の、それぞれの一部が配設されるコントロールユニット１１４が設けられている。
【００２２】
（キャリア１２０）
キャリア１２０は、図１に示すように、ヘッドレール１１０のコントロールユニット１１４側の端部とは反対側の端部に配設されるマスタキャリア１２０ａと、それ以外の部分に配設される複数のキャリア１２０ｂによって構成されている。各キャリア１２０は、図２に示すように、ヘッドレール１１０のレール１１２に挿入されてキャリア１２０の移動を案内するランナ１２１と、ヘッドレール１１０の開口部１１３から下方に突出し、ルーバー１３０を吊下げるキャリアフック１２２と、マスタキャリア１２０ａのみに設けられ、キャリア移動機構１４０の動作をマスタキャリア１２０ａの移動に変換する雌ネジ孔部１２３と、ルーバー回転機構１５０の動作をキャリアフック１２２に伝達するウォームギア１２４と、調光機構１６０の動作をルーバー１３０に伝達する調光伝達部１２５と、を備えて構成される。
隣合うキャリア１２０同士は、図１に示すように、スペーサリンク１２６によって連結されており、所定の間隔以上に離間しないようになっている。
【００２３】
マスタキャリア１２０ａの雌ネジ孔部１２３は、図２（ａ）に示すように、ヘッドレール１１０の長手方向に延びて形成されている。なお、他のキャリア１２０ｂには、マスタキャリア１２０ａの雌ネジ孔部１２３に対応する位置に、ヘッドレール１１０の長手方向に貫通する図示していない貫通孔が形成されている。
【００２４】
ウォームギア１２４は、ねじ歯車１２４ａとこれに噛み合うはす歯歯車１２４ｂからなる。ねじ歯車１２４ａは、ヘッドレール１１０の長手方向に対して軸心が平行であり、内周が非円形に形成されている。また、はす歯歯車１２４ｂの下端はキャリアフック１２２の上端に一体に回転するように連結されている。これにより、ねじ歯車１２４ａが回転すると、はす歯歯車１２４ｂを介してキャリアフック１２２とともにルーバー１３０が回転する。
【００２５】
調光伝達部１２５は、図１及び図２に示すように、略円筒状の形状を備えており、内周が非円形形状に形成されている。調光伝達部１２５は、はす歯歯車１２４ｂの上方に回転可能に設けられており、調光伝達部１２５の回転軸はヘッドレール１１０の長手方向を向いている。調光伝達部１２５の外周には、円周方向全周にわたって溝１２５ａが形成されている。この溝１２５ａに調光機構１６０の後述の調光部材１６３が巻き掛けられており、調光伝達部１２５の回転によって、調光部材１６３の両端部が相対的に昇降するようになっている。溝１２５ａは、調光部材１６３が調光伝達部１２５の軸方向へ移動することを拘束するとともに、調光部材１６３が調光伝達部１２５の軸方向に直交するように巻き掛けらた状態を保持している。
【００２６】
（ルーバー１３０）
ルーバー１３０は、図２及び図３に示すように、窓側に吊下げられる第１のルーバー１３１と、第１のルーバー１３１に対向して室内側に吊下げられる第２のルーバー１３２と、第１のルーバー１３１に取付けられる第１の調光フック１３３と、第２のルーバー１３２に取付けられる第２の調光フック１３４と、第１のルーバー１３１及び第２のルーバー１３２をキャリアフック１２２に取付けるためのルーバーフック１３５と、第１のルーバー１３１と第２のルーバー１３２の下端部に設けられ、第１のルーバー１３１と第２のルーバー１３２とを緊張状態に保持するバランスウエイト１３６と、を備えて構成されている。以下、ルーバー１３０の各構成について詳細に説明する。
【００２７】
（第１のルーバー１３１、第２のルーバー１３２）
第１のルーバー１３１と第２のルーバー１３２は、図２及び図３に示すように、ループ状に連結されて構成されている。第１、第２のルーバー１３１、１３２には、光の透過率が低い不透過部１３１ａ、１３２ａと、光の透過率が高い透過部１３１ｂ、１３２ｂとが、上下方向に交互に連続して形成されている。不透過部１３１ａ、１３２ａと透過部１３１ｂ、１３２ｂの幅は、第１、第２のルーバー１３１、１３２を上下方向に相対的に移動させたときに、光が遮蔽された遮蔽状態と、光が採光される採光状態とを切り替えられる幅にそれぞれ設定されている。
【００２８】
（第１の調光フック１３３、第２の調光フック１３４）
第１、第２の調光フック１３３、１３４は、図２及び図３に示すように、それぞれ第１、第２のルーバー１３１、１３２に固定される固定部１３３ａ、１３４ａと、調光部材１６３の端部がそれぞれ連結される連結部１３３ｂ、１３４ｂを備えて構成される。固定部１３３ａ、１３４ａは、第１、第２のルーバー１３１、１３２の幅寸法とほぼ同じ幅寸法を備えており、連結部１３３ｂ、１３４ｂは固定部１３３ａ、１３４ａの幅方向における位置が互いに重ならないように、夫々オフセットした位置に配設されて上方に突出するように構成されている。
【００２９】
図３に示すように、第１の調光フック１３３の固定部１３３ａは、第１のルーバー１３１の最上部に位置する透過部１３１ｂの上端部に固定されており、第２の調光フック１３４の固定部１３４ａは、第２のルーバー１３２の最上部に位置する透過部１３２ｂの上端部に固定されている。
【００３０】
（ルーバーフック１３５）
ルーバーフック１３５は、図２及び図３に示すように、第１、第２のルーバー１３１、１３２の幅寸法よりも若干大きい幅寸法を有するスリット部１３５ａと、キャリアフック１２２が引掛けられる引掛け部１３５ｂと、を備えて構成される。ルーバーフック１３５のスリット部１３５ａには、第１のルーバー１３１の最上部に位置する透過部１３１ｂと、第２のルーバー１３２の最上部に位置する透過部１３２ｂとの間に位置する不透過部が挿入される。これにより、ルーバーフック１３５は第１の調光フック１３３と第２の調光フック１３４との間で移動することができる。また、図２に示すように、引掛け部１３５ｂにキャリアフック１２２を引掛けることにより、ルーバー１３０がキャリアフック１２２で吊下げられる。
【００３１】
次に、キャリア１２０を移動させるキャリア移動機構１４０、ルーバー１３０を回転させるルーバー回転機構１５０、及びルーバー１３０の遮蔽状態と採光状態とを切替える調光機構１６０について説明する。
【００３２】
（キャリア移動機構１４０）
キャリア移動機構１４０は、ヘッドレール１１０内で長手方向全長にわたって延びる、図２に示した開閉軸１４１と、コントロールユニット１１４内に配設されて開閉軸１４１の一端に一体に回転するように連結される図示していないプーリと、プーリに巻き掛けられ、コントロールユニット１１４から導出されて垂下する無端状のキャリア移動用操作コード１４２と、を備えて構成される。
【００３３】
開閉軸１４１は、マスタキャリア１２０ａの雌ネジ孔部１２３に螺合するとともに他のキャリア１２０ｂの図示していない貫通孔を順次挿通するように設けられている。開閉軸１４１が回転すると、雌ネジ孔部１２３を介してマスタキャリア１２０ａが開閉軸１４１上をヘッドレール１１０の長手方向に移動するようになっている。マスタキャリア１２０ａがコントロールユニット１１４に近づく方向に移動すると、他のキャリア１２０ｂはマスタキャリア１２０ａが当接し、これに押圧されることによって、順次コントロールユニット１１４に近づく方向に移動していく。一方、マスタキャリア１２０ａがコントロールユニット１１４から遠ざかる方向に移動すると、他のキャリア１２０ｂは、スペーサリンク１２６によってマスタキャリア１２０ａに引っ張られて、順次コントロールユニット１１４から遠ざかる方向に移動していく。この移動中、各キャリア１２０は、ランナ１２１がヘッドレール１１０のレール１１２に案内されて移動するため、安定して移動することができる。キャリア１２０は、開閉軸１４１の回転方向によって移動方向が決定される。
【００３４】
キャリア移動用操作コード１４２は、前述のように図示していないプーリに巻き掛けられている。そして、図１に示すように、キャリア移動用操作コード１４２のコントロールユニット１１４から導出されている部分のうちのどちらか一方を引き下ろす操作をすることによって、プーリが回転し、これにより、プーリと一体に開閉軸１４１が回転するようになっている。プーリ及び開閉軸１４１の回転方向は、キャリア移動用操作コード１４２のコントロールユニット１１４から導出されている部分のうちのどちらを引くかによって決定される。
【００３５】
（ルーバー回転機構１５０）
ルーバー回転機構１５０は、図１に示すように、ヘッドレール１１０内を長手方向全長にわたって延びる回転軸１５１と、コントロールユニット１１４内に配設されて回転軸１５１の一端に一体に回転するように連結される図示していないプーリと、プーリに巻き掛けられ、コントロールユニット１１４から導出されて垂下する無端状の回転用操作コード１５２と、を備えて構成される。
【００３６】
回転軸１５１は、図２に示すように、各キャリア１２０のねじ歯車１２４ａの非円形の内周に順次嵌め合わされて、全キャリア１２０をそれぞれ挿通して設けられている。そして、回転軸１５１が回転すると、全ねじ歯車１２４ａが一体に回転し、ねじ歯車１２４ａと噛み合っているはす歯歯車１２４ｂ及びキャリアフック１２２が一体に回転する。これにより、全ルーバー１３０が一斉に回転するようになっている。
【００３７】
回転用操作コード１５２は、前述のように図示していないプーリに巻き掛けられている。図１に示すように、回転用操作コード１５２のコントロールユニット１１４から導出されている部分のうちのどちらか一方を引き下ろす操作をすることによって、プーリが回転し、これにより、プーリと一体に回転軸１５１が回転するようになっている。プーリ及び回転軸１５１の回転方向は、回転用操作コード１５２のコントロールユニット１１４から導出されている部分のうちのどちらを引くかによって決定される。
【００３８】
（調光機構１６０）
調光機構１６０は、図１に示すように、ヘッドレール１１０内を長手方向全長にわたって延びる調光軸１６１と、コントロールユニット１１４内に配設されて調光軸１６１の一端に一体に回転するように連結される、図示していないかさ歯歯車等のギヤと、このギヤを介して一端が調光軸１６１に連結されてコントロールユニット１１４から垂下される調光操作棒１６２と、第１、第２のルーバー１３１、１３２を上下方向に相対移動させる調光部材１６３と、を備えて構成される。
【００３９】
調光軸１６１は、各キャリア１２０の調光伝達部１２５の非円形の内周に順次嵌め合わされて、全キャリア１２０をそれぞれ挿通して設けられている。そして、調光軸１６１が回転すると、全調光伝達部１２５が一斉に一体に回転するようになっている。
【００４０】
調光操作棒１６２は、上述のギヤに一体に回転するように連結されており、調光操作棒１６２を回転することにより、ギヤを介して調光軸１６１が回転する。また、調光操作棒１６２の回転方向に応じて、調光軸１６１の回転方向が決定される。
【００４１】
調光部材１６３は、前述のように、キャリア１２０の調光伝達部１２５に巻き掛けられており、調光軸１６１と一体に調光伝達部１２５が回転することにより両端部が上下方向に相対的に昇降する。調光部材１６３の一端部は、ルーバー１３０の第１の調光フック１３３に連結されており、他端部は第２の調光フック１３４に連結される。調光部材１６３の両端部が相対的に昇降することにより、第１、第２のルーバー１３１、１３２が上下方向に相対的に移動する。
【００４２】
（ルーバー１３０の動作）
次に、ルーバー１３０の動作について、図１及び図２を参照しながら説明する。
図１（ａ）及び図２（ａ）に示すように、調光部材１６３が長さ方向のほぼ中間位置で調光伝達部１２５に巻き掛けられているときには、第１、第２のルーバー１３１、１３２は、光の透過率が低い不透過部１３１ａ、１３２ａ、及び光の透過率が高い透過部１３１ｂ、１３２ｂ同士が互いに重なり合っている。そして、この状態から調光伝達部１２５が回転すると、調光部材１６３の両端部が相対的に昇降し、第１、第２のルーバー１３１、１３２が上下方向に相対的に移動することになる。
【００４３】
例えば、調光伝達部１２５が図２（ａ）中反時計方向に回転すると、図１（ｂ）及び図２（ｂ）に示すように、調光部材１６３の第１の調光フック１３３に連結されている一端部側が調光伝達部１２５に巻取られるとともに、第２の調光フック１３４に連結されている他端部側が調光伝達部１２５から巻解かれる。これにより、第１の調光フック１３３が上昇し、第２の調光フック１３４が下降する。第１の調光フック１３３がルーバーフック１３５に当接する位置まで上昇すると、第１のルーバー１３１の不透過部１３１ａが第２のルーバー１３２の透過部１３２ｂと重なり合い、第１のルーバー１３１の透過部１３１ｂが第２のルーバー１３２の不透過部１３２ａと重なり合う。これにより、ルーバー１３０は光を遮る遮蔽状態となる。
【００４４】
なお、調光伝達部１２５が上記とは逆の図２（ａ）中時計方向に回転すると、調光部材１６３は、上記とは逆に、第１の調光フック１３３に連結されている一端部側が調光伝達部１２５から巻解かれるとともに、第２の調光フック１３４に連結されている他端部側が調光伝達部１２５に巻取られる。これにより、第１の調光フック１３３が下降し、第２の調光フック１３４が上昇する。そして、上記と同様にルーバー１３０は遮蔽状態となる。
【００４５】
この後、調光伝達部１２５が図２（ｂ）中時計方向に回転すると、調光部材１６３は、一端部側が調光伝達部１２５から巻解かれるとともに、他端部側が調光伝達部１２５に巻取られる。これにより、第１の調光フック１３３が下降し、第２の調光フック１３４が上昇する。そして、図１（ａ）及び図２（ａ）に示すように、第１の調光フック１３３と第２の調光フック１３４が互いに重なり合う位置まで昇降すると、第１のルーバー１３１の不透過部１３１ａが第２のルーバー１３２の不透過部１３２ａと重なり合い、第１のルーバー１３１の透過部１３１ｂが第２のルーバー１３２の透過部１３２ｂと重なり合う。これにより、ルーバー１３０は光を室内に取り入れることができる採光状態となる。
【００４６】
（縦型ブラインド１００の動作）
次に、縦型ブラインド１００の畳込み及び展開、及び調光の動作について、図１及び図４Ａ〜図４Ｆを参照しながら説明する。
【００４７】
（畳込みの動作）
まず、畳込みの動作について、図２及び図４Ａを参照しながら説明する。
キャリア移動用操作コード１４２の一方側を引き下げると、プーリを介して図２に示す開閉軸１４１が一方向に回転する。この開閉軸１４１の回転に伴って、雌ネジ孔部１２３を介してマスタキャリア１２０ａが開閉軸１４１上をコントロールユニット１１４に接近する方向（すなわち、図４Ａ中右方向）に移動する。これにより、他のキャリア１２０ｂはマスタキャリア１２０ａによって順番に押されて移動していくため、全てのルーバー１３０を、図４Ａに示すように、ヘッドレール１１０のコントロールユニット１１４側の端部に畳込むことができる。
【００４８】
（展開の動作）
図４Ａに示すように畳込まれているルーバー１３０を展開させる際には、図４Ａに示すキャリア移動用操作コード１４２の他方側を引き下げる。これにより、図示していないプーリを介して開閉軸１４１が他方向に回転する。この開閉軸１４１の回転に伴って、マスタキャリア１２０ａが開閉軸１４１の軸上をコントロールユニット１１４から遠ざかる方向（すなわち、図４Ａ中左方向）に移動する。これにより、他のキャリア１２０ｂもマスタキャリア１２０ａに追随して順次移動していくため、全てのルーバー１３０を、図４Ｂに示すように、展開することができる。次に、このように、ルーバー１３０を展開した縦型ブラインド１００を調光する際の動作について説明する。
【００４９】
（調光の動作）
本実施形態における調光とは、第１、第２のルーバー１３１、１３２を上下方向に相対移動させて行う場合と、ルーバー１３０を回転させて行う場合の２種類ある。まず、上下方向に相対移動させて行う場合について、図２、図４Ｃ及び図４Ｄを参照しながら説明する。
【００５０】
（ルーバー１３０を採光状態にする場合）
調光操作棒１６２を回転操作すると、図示していないギヤを介して図２に示す調光軸１６１が一方向に回転する。調光軸１６１の回転によりこれと一体に調光伝達部１２５が回転するため、調光伝達部１２５に巻き掛けられている調光部材１６３の両端部が相対的に昇降する。図２（ａ）に示すように、調光部材１６３が長さ方向におけるほぼ中間の位置で調光伝達部１２５に巻き掛けられた状態になると、第１の調光フック１３３と第２の調光フック１３４が重なり合う位置になる。これにより、図２（ａ）及び図４Ｃに示すように、第１、第２のルーバー１３１、１３２の不透過部１３１ａ、１３２ａ同士、及び透過部１３１ｂ、１３２ｂ同士が重なり合う。このように、第１、第２のルーバー１３１、１３２の不透過部１３１ａ、１３２ａ同士、及び透過部１３１ｂ、１３２ｂ同士がそれぞれ互いに重なり合った状態が、上述のように、室内に光が取り込まれる採光状態である。
【００５１】
この採光状態は、調光操作棒１６２を回転操作して、第１、第２のルーバー１３１、１３２の不透過部１３１ａ、１３２ａ同士、及び透過部１３１ｂ、１３２ｂ同士のそれぞれの重なり合う割合を変化させることにより、採光の状態を変化させることができる。例えば、不透過部１３１ａの上下方向中間位置より上方が不透過部１３２ａと重なり、下方が透過部１３１ｂと重なるようにする。この場合、不透過部１３１ａ、１３２ａ同士、及び透過部１３１ｂ、１３２ｂ同士が完全に重なり合っているときに比べて、採光の状態を約半分にすることができる。このようにして調光を行うことができる。
【００５２】
（遮蔽状態にする場合）
次に、縦型ブラインド１００を遮蔽状態にする場合について、図２及び図４Ｄを参照しながら説明する。調光操作棒１６２を回転操作して、調光伝達部１２５を回転させ、調光部材１６３の両端部を相対的に昇降させる。そして、図２（ｂ）に示すように、第２の調光フック１３４がルーバーフック１３５に当接する位置まで上昇させると、図２（ｂ）及び図４Ｄに示すように、第１のルーバー１３１の不透過部１３１ａが第２のルーバー１３２の透過部１３２ｂと重なり合い、第１のルーバー１３１の透過部１３１ｂが第２のルーバー１３２の不透過部１３２ａと重なり合う。この状態においては、ルーバー１３０全体に不透過部１３１ａ、１３２ａが現れるため、遮蔽状態となる。
【００５３】
次に、ルーバー１３０を回転させて行う調光の動作について、図２、図４Ｅ及び図４Ｆを参照しながら説明する。
【００５４】
図２（ｂ）及び図４Ｄに示すように、ルーバー１３０が遮蔽状態となっている状態において、回転用操作コード１５２の一方を引き下げると、図２（ｂ）に示す回転軸１５１が回転する。このため、ウォームギア１２４を介してキャリアフック１２２が回転するので、ルーバー１３０は遮蔽状態のまま、キャリアフック１２２と一体に回転する。これにより、図４Ｅに示すように、隣合うルーバー１３０間に隙間が形成される。このようにして採光を行うこともできる。また、ルーバー１３０の回転角度を変化させることにより、隣合うルーバー１３０間の隙間の大きさが変化するため、採光の状態を変化させることができる。このようにして、調光を行うことができる。
【００５５】
このように、通常の縦型ブラインドと同様に、遮蔽状態のルーバー１３０を回転させることにより、直射の光を遮りながら多くの光を取り込むことができる。
【００５６】
なお、上記説明では、遮蔽状態のルーバー１３０を回転させて調光を行う方法を説明したが、採光状態のルーバー１３０を、上記と同様な方法で回転させて、図４Ｆに示すように、調光を行うようにしてもよい。これにより、ルーバー１３０を採光状態にするだけで取り込める光よりもより多くの光を取り込むことができる。
【００５７】
また、ルーバー１３０を先に回転させて、その後、第１、第２のルーバー１３１、１３２を上下方向に相対移動させることによって、ルーバー１３０を採光状態や遮蔽状態にしてもよい。
【００５８】
以上説明したように、本実施形態によれば、縦型ブラインドを、ルーバー１３０全体に不透過部が現れた遮蔽状態と、透過部と不透過部とが交互に形成される採光状態とに切替えることができる。このため、室内に外部から光を採り入れるために、ルーバー１３０を回転させなくても、全てのルーバー１３０がヘッドレール１１０の長手方向と略平行な状態において、ルーバー１３０を採光状態にすることができる。よって、外部から室内が直接見えてしまうことを防止することができる。
【００５９】
（第２の実施形態）
第２の実施形態にかかる縦型ブラインド２００について、図５を参照しながら説明する。本実施形態の縦型ブラインド２００は、上記第１の実施形態にかかる縦型ブラインド１００のうち、調光機構２１０と調光変換機構の部分に特徴を有するものである。本実施形態では、調光機構２１０と調光変換機構の部分についてのみ説明することとし、その他の部分については、上記第１の実施形態と同様であるため、重複説明を省略する。図５（ａ）は、ルーバー１３０が採光状態であるときを、図５（ｂ）は、ルーバー１３０が遮蔽状態であるときを、それぞれ示す。
【００６０】
本実施形態の調光機構２１０は、コントロールユニット１１４内に配設されるストッパと、ヘッドレール１１０内を無端状に配回されるとともに、ストッパを介してコントロールユニット１１４の下方に無端状に垂下する調光コード２１１と、調光コード２１１にそれぞれ一端が連結されるとともに他端が第１、第２の調光フック１３３、１３４にそれぞれ連結される第１、第２の分岐コード（調光部材）２１２、２１３と、を備えて構成される。調光コード２１１と第１、第２の分岐コード２１２、２１３との連結は、例えば、締結、溶着、連結部材を介する連結などにより行われる。調光コード２１１は、ストッパによって移動が拘束されるようになっている。
【００６１】
キャリア２２０には、前記調光コード２１１がそれぞれ挿通する一対の第１の挿通孔２２１及び第２の挿通孔２２２が形成されている。これら一対の第１の挿通孔２２１及び第２の挿通孔２２２が前述の調光変換機構を構成している。第１、第２の挿通孔２２１、２２２は、ヘッドレール１１０の長手方向に対して平行に延びるとともに、断面が略Ｃ字状に形成されている。第１、第２の挿通孔２２１、２２２は、断面略Ｃ字の先端同士の隙間から第１、第２の挿通孔２２１、２２２内に第１、第２の分岐コード２１２、２１３の他端がそれぞれ導入されるように構成されている。また、各第１、第２の挿通孔２２１、２２２は、第１、第２の分岐コード２１２、２１３が第１、第２の挿通孔２２１、２２２内に導入される位置を固定するための、図示していない構造を備えている。この構造としては、例えば、コントロールユニット１１４から遠い側の端部における断面略Ｃ字の先端部近傍に形成した溝や突起などでもよい。また、この構造は、第１、第２の挿通孔２２１、２２２をコントロールユニット１１４から遠い側の端部のみを断面略Ｃ字状とし、その他の部分を円筒状としたものであってもよい。
【００６２】
調光コード２１１は、各キャリア２２０の第１、第２の挿通孔２２１、２２２を順次挿通してヘッドレール１１０内を配回されており、コントロールユニット１１４から垂下した部分を操作することにより、ヘッドレール１１０の長手方向に移動する。調光コード２１１は、キャリア２２０が展開した状態では、緊張した状態となっており、ルーバー１３０を畳込んだ際には、キャリア２２０の移動に伴って緩んでいくようになっている。
【００６３】
調光コード２１１と第１、第２の分岐コード２１２、２１３との連結部の位置は、図５（ａ）に示すような、第１、第２のルーバー１３１、１３２の不透過部１３１ａ、１３２ａ同士、及び透過部１３１ｂ、１３２ｂ同士が互いに重なり合っている状態において、第１、第２の挿通孔２２１、２２２のコントロールユニット１１４に近い側の端部に位置するように設定されている。調光コード２１１が緊張した状態で操作されると、第１、第２の分岐コード２１２、２１３の一端が調光コード２１１とともにヘッドレール１１０の長手方向に相対的に移動し、第１、第２の分岐コード２１２、２１３の他端が上下方向に相対的に昇降し、ルーバー１３０が調光されるようになっている。
【００６４】
次に、本実施形態の動作について説明する。
第１、第２の分岐コード２１２、２１３と調光コード２１１との連結部が、ともに第１、第２の挿通孔２２１、２２２のコントロールユニット１１４に近い側の端部に位置している場合、第１、第２の分岐コード２１２、２１３は、図５（ａ）に示すように、キャリア２２０から導出されて、第１、第２の調光フック１３３、１３４に連結されるまでの長さ寸法が同じ大きさになっている。これにより、図５（ａ）に示すように、ルーバー１３０は、第１、第２のルーバー１３１、１３２の不透過部１３１ａ、１３２ａ同士、及び透過部１３１ｂ、１３２ｂ同士が互いに重なり合った採光状態になっている。
【００６５】
次に、コントロールユニット１１４から垂下した調光コード２１１の一方を引き下ろし、第２の挿通孔２２２を挿通している調光コード２１１をコントロールユニット１１４に近づく方向に移動させると、第１の挿通孔２２１を挿通している調光コード２１１がコントロールユニット１１４から遠ざかる方向に移動する。
【００６６】
これにより、第２の分岐コード２１３が調光コード２１１とともにコントロールユニット１１４方向に移動する。このため、第２の分岐コード２１３の他端側が、第２の挿通孔２２３内に引き込まれ、第２の分岐コード２１３の他端が上昇していくため、第２の調光フック１３４が上昇していく。
【００６７】
一方、第１の挿通孔２２１を挿通している調光コード２１１と第１の分岐コード２１２は、コントロールユニット１１４から遠ざかる方向へ移動する。これにより、第１の分岐コード２１２と調光コード２１１との連結部は、第１の挿通孔２２１のコントロールユニット１１４から遠い端部まで移動する。よって、第１の分岐コード２１２の他端側が第１の挿通孔２２１から引き出されて、第１の分岐コード２１２の他端が下降していくため、第１の調光フック１３３が下降していく。
【００６８】
そして、調光コード２１１を操作することができる最大量まで操作すると、ルーバー１３０は、図５（ｂ）に示すように、第１のルーバー１３１の不透過部１３１ａが第２のルーバー１３２の透過部１３２ｂと重なり合い、第１のルーバー透過部１３１ｂが第２のルーバー１３２の不透過部１３２ａと重なり合う。これにより、ルーバー１３０が遮蔽状態となる。
【００６９】
この操作は、調光コード２１１の他方側を操作することによっても同様に行うことができる。この場合、第１の調光フック１３３が上昇し、第２の調光フック１３４が下降することになる。
【００７０】
また、調光コード２１１の操作量を調整することにより、第１、第２の分岐コード２１２，２１３の他端の相対的な昇降量調整して、ルーバー１３０を採光状態にすることもできる。
【００７１】
調光コード２１１を操作することができる最大量とは、本実施形態の場合、調光コード２１１と第１の分岐コード２１２との連結部が第１の挿通孔２２１のコントロールユニット１１４から遠い側の端部の溝や突起に当接する位置とすることができる。
【００７２】
本実施形態によれば、各キャリア２２０をそれぞれ挿通する無端状の調光コード２１１にルーバー１３０に昇降動作を行わせる第１、第２の分岐コード２１２、２１３をそれぞれ連結したことにより、コントロールユニット１１４から導出された調光コード２１１を外部から操作することによって第１、第２の分岐コード２１２、２１３の他端を相対的に昇降させて、開閉操作や回転操作とは独立して、ルーバー１３０の調光操作を行うことができる。
【００７３】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７４】
なお、上記各実施形態では、キャリア移動機構１４０を開閉軸１４１、プーリ、及びキャリア移動用操作コード１４２により構成したが、ヘッドレール内を配回されて各キャリアの移動を操作する無端状の開閉用コードと、コントロールユニット内に配設され、開閉用コードの移動を拘束するストッパによって構成してもよい。
【符号の説明】
【００７５】
１００  縦型ブラインド
１１０  ヘッドレール
１３０  ルーバー
１３１  第１のルーバー
１３１ａ  不透過部
１３１ｂ  透過部
１３２  第２のルーバー
１３２ａ  不透過部
１３２ｂ  透過部
１６１  調光軸
１６３  調光部材
２１１  調光コード
２１２  第１の分岐コード（調光部材）
２１３  第２の分岐コード（調光部材）
【図４Ｃ】
2015048576.tif 000003
【図４Ｄ】
2015048576.tif 000004
【図１】
2015048576.tif 000005
【図２】
2015048576.tif 000006
【図３】
2015048576.tif 000007
【図４Ａ】
2015048576.tif 000008
【図４Ｂ】
2015048576.tif 000009
【図４Ｅ】
2015048576.tif 000010
【図４Ｆ】
2015048576.tif 000011
【図５】
2015048576.tif 000012